(57)【要約】【課題】装着ジグ等の特別な道具を使わずに、簡単且つ安全に装着することのできるバルーン及びそのバルーンを備えたバルーン内視鏡装置並びにバルーンを内視鏡に装着するバルーン装着方法を提供するバ。【解決手段】バルーン６０は、内視鏡１０の挿入部１２に形成された流体口４３に嵌合されて連通されるコネクタ部６２と、コネクタ部６２で外部に連通されるとともに、内視鏡１０の挿入部１２に巻き付けられる袋体６４と、を備える。【選択図】  図３
2009160219.tif 000002
【特許請求の範囲】
【請求項１】
内視鏡などの医療器具に装着され、該医療器具に形成された流体口から流体が供給・吸引されることによって膨張・収縮されるバルーンにおいて、
前記流体口に嵌合されて連通される嵌合口と、
前記嵌合口から流体が供給・吸引されるとともに、前記医療器具に巻き付けられる袋体と、
前記医療器具に巻き付けられた袋体を前記医療器具に固定する固定手段と、
を備えたことを特徴とするバルーン。
【請求項２】
前記袋体の一方の端部がリング状に形成されるとともに、前記袋体のもう一方の端部に前記嵌合口が設けられ、
前記袋体を前記医療器具に巻き付けながら、前記嵌合口を前記リング状部分の中央の孔に通して前記流体口に嵌合させることによって、前記医療器具に固定されることを特徴とする請求項１に記載のバルーン。
【請求項３】
体内に挿入される挿入部と、該挿入部の外周面に形成されて流体が供給・吸引される流体口とを備えた内視鏡と、
前記流体口に嵌合されて連通される嵌合口と、該嵌合口から流体が供給・吸引されるとともに前記医療器具に巻き付けられる袋体と、前記挿入部に巻き付けられた袋体を前記挿入部に固定する固定手段と、で構成されるバルーンと、
を備えたことを特徴とするバルーン内視鏡。
【請求項４】
体内に挿入される内視鏡の挿入部であって、その外周面に流体が供給・吸引される流体口が形成される挿入部に、前記流体によって膨張・収縮するバルーンを装着するバルーン装着方法において、
前記バルーンを成す袋体に設けた嵌合口を前記挿入部の流体口に嵌合させ、且つ、前記袋体を前記挿入部に巻き付けて固定することによって、前記バルーンを前記挿入部に固定することを特徴とするバルーン装着方法。
【発明の詳細な説明】
【技術分野】
【０００１】
本発明はバルーン、バルーン内視鏡、バルーン装着方法に係り、特に内視鏡の挿入部に装着されるバルーン及びそのバルーンを装着したバルーン内視鏡並びにバルーンを内視鏡の挿入部に装着するバルーン装着方法に関する。
【背景技術】
【０００２】
内視鏡装置では、膨張・収縮するバルーンが様々な用途で用いられている。例えば、小腸や大腸等の深部消化管を観察する内視鏡装置では、内視鏡挿入部や内視鏡挿入補助具（スライディングチューブまたはオーバーチューブ等）に膨縮自在なバルーンが装着され、このバルーンを膨張させることによって内視鏡挿入部や挿入補助具を体内に固定できるようになっている。また、超音波検査装置では、超音波プローブの先端の超音波走査部を囲繞して超音波伝達媒体を充填するために膨縮自在なバルーンが用いられ、超音波内視鏡では、挿入部の先端の超音波トランスデューサを囲繞して超音波伝達媒体を充填するために膨縮自在なバルーンが用いられる。
【０００３】
このようなバルーンは、ゴム等の弾性体によって筒状に形成されており、その端部は、自然状態で取付対象物（内視鏡挿入部や挿入補助具など）の外径よりも小径になっている。そして、この筒状バルーンを装着する際は、バルーン端部を拡径しながら取付対象物に被せた後、バルーン端部の上から糸を巻回したりゴムバンドを外嵌させたりすることによって、バルーン端部を取付対象物に固定している。
【０００４】
ところで、バルーン端部を拡径しながら取付対象物に被せる作業は非常に煩わしく、取付作業に手間がかかるという問題がある。そこで、特許文献１は、ゴム製のリング部材と、リング部材に取り付けられた一対の爪部材とから成る装着ジグを用いている。この装着ジグによれば、リング部材を潰して爪部材をバルーンの端部に挿入し、リング部材の復元力で元の形状に戻すことによってバルーン端部を拡径することができ、筒状バルーンを挿入部に容易に装着することができる。
【０００５】
一方、特許文献２は、筒状バルーンを均一な厚みにするとともに、そのバルーン端部をバルーン中央部よりも高い硬度のゴムで構成することが記載されている。この筒状バルーンは均一な厚みを有するので、内視鏡の挿入部を容易に挿入することができ、筒状バルーンを挿入部に容易に装着することができる。
【特許文献１】特開２００５−１１８３７５号公報
【特許文献２】特開２００５−１３７４１３号公報
【発明の開示】
【発明が解決しようとする課題】
【０００６】
しかしながら、特許文献１は、特殊な装着ジグが必要になるという問題や、バルーン端部を挿入部に沿って長い距離を滑らせる必要があり、時間や手間を要するという問題があった。一方、特許文献２は、特殊な装着ジグを使わないものの、バルーン端部に締付力が必要になるため、バルーン装着時にバルーン端部が変形して損傷するおそれがあった。
【０００７】
本発明はこのような事情に鑑みてなされたもので、装着ジグ等の特別な道具を使わずに、簡単且つ安全に装着することのできるバルーン及びそのバルーンを備えたバルーン内視鏡装置並びにバルーンを内視鏡に装着するバルーン装着方法を提供することを目的とする。
【課題を解決するための手段】
【０００８】
請求項１に記載の発明は前記目的を達成するために、内視鏡などの医療器具に装着され、該医療器具に形成された流体口から流体が供給・吸引されることによって膨張・収縮されるバルーンにおいて、前記流体口に嵌合されて連通される嵌合口と、前記嵌合口から流体が供給・吸引されるとともに、前記医療器具に巻き付けられる袋体と、前記医療器具に巻き付けられた袋体を前記医療器具に固定する固定手段と、を備えたことを特徴とする。
【０００９】
本発明によれば、バルーンが袋体から成り、この袋体を医療器具に巻き付けることによってバルーンが医療器具に装着されるので、従来の筒状バルーンのようにバルーン端部を拡径する操作が不要であり、バルーンを容易に装着することができる。
【００１０】
請求項２に記載の発明は請求項１の発明において、前記袋体の一方の端部がリング状に形成されるとともに、前記袋体のもう一方の端部に前記嵌合口が設けられ、前記袋体を前記医療器具に巻き付けながら、前記嵌合口を前記リング状部分の中央の孔に通して前記流体口に嵌合させることによって、前記医療器具に固定されることを特徴とする。本発明によれば、袋体のリング状部分と嵌合口とが固定手段を兼ねており、袋体を医療器具に巻き付けた後、嵌合口をリング状部分の中央の孔に通して流体口に嵌合させることによって、バルーンを医療器具に固定することができる。
【００１１】
請求項３に記載の発明は前記目的を達成するために、体内に挿入される挿入部と、該挿入部の外周面に形成されて流体が供給・吸引される流体口とを備えた内視鏡と、前記流体口に嵌合されて連通される嵌合口と、該嵌合口から流体が供給・吸引されるとともに前記医療器具に巻き付けられる袋体と、前記挿入部に巻き付けられた袋体を前記挿入部に固定する固定手段と、で構成されるバルーンと、を備えたことを特徴とする。
【００１２】
請求項４に記載の発明は前記目的を達成するために、体内に挿入される内視鏡の挿入部であって、その外周面に流体が供給・吸引される流体口が形成される挿入部に、前記流体によって膨張・収縮するバルーンを装着するバルーン装着方法において、前記バルーンを成す袋体に設けた嵌合口を前記挿入部の流体口に嵌合させ、且つ、前記袋体を前記挿入部に巻き付けて固定することによって、前記バルーンを前記挿入部に固定することを特徴とする。
【００１３】
本発明によれば、袋体から成るバルーンの嵌合口を内視鏡の挿入部の流体口に嵌合させ、且つ、袋体を挿入部に巻き付けて固定することによって、バルーンが挿入部に装着される。したがって、本発明によれば、従来の筒状バルーンのようにバルーン端部を拡径する操作が不要であり、バルーンを容易に装着することができる。
【発明の効果】
【００１４】
本発明によれば、袋体から成るバルーンを用い、このバルーンを内視鏡挿入部などの医療器具に巻き付けることによってバルーンを医療器具に装着するので、従来の筒状バルーンのようにバルーン端部を拡径する操作が不要であり、バルーンを医療器具に容易に装着することができる。
【発明を実施するための最良の形態】
【００１５】
以下添付図面に従って本発明に係るバルーン、バルーン内視鏡、バルーン装着方法の好ましい実施の形態について詳述する。
【００１６】
図１は本発明に係るバルーンを備えたバルーン内視鏡装置の一例を示すシステム構成図である。内視鏡装置は主として、本発明に係るバルーン６０が装着されたバルーン内視鏡（以下、内視鏡）１０と、バルーン６０の膨縮を制御するバルーン制御装置７０とで構成されている。
【００１７】
内視鏡１０は、手元操作部１４と、この手元操作部１４に連設され、体内に挿入される挿入部１２とを備える。手元操作部１４には、ユニバーサルケーブル１６が接続され、このユニバーサルケーブル１６の先端にＬＧコネクタ１８が設けられる。ＬＧコネクタ１８は光源装置２０に着脱自在に連結され、これによって挿入部１２の先端に設けた照明光学系（不図示）に照明光が送られる。また、ＬＧコネクタ１８には、ケーブル２２を介して電気コネクタ２４が接続され、この電気コネクタ２４がプロセッサ２６に着脱自在に連結される。
【００１８】
手元操作部１４には、送気・送水ボタン２８、吸引ボタン３０、シャッターボタン３２、及び機能切替ボタン３４が並設されるとともに、一対のアングルノブ３６、３６が設けられる。
【００１９】
挿入部１２は、手元操作部１４側から順に軟性部４０、湾曲部４２、及び先端部４４で構成される。軟性部４０は、螺旋状に巻回された金属板の外周にネットを被せ、その外周を被覆することにより構成されており、十分な可撓性を有している。
【００２０】
湾曲部４２は、手元操作部１４のアングルノブ３６、３６を回動することによって遠隔的に湾曲するように構成される。たとえば、湾曲部４２は、円筒状の複数の節輪をピンによって回動自在に連結するとともに、その節輪の内部に複数本の操作ワイヤを挿通させて前記ピンにガイドさせ、操作ワイヤを押し引き操作することによって、節輪同士が回動して湾曲部４２が湾曲操作されるようになっている。この湾曲部４２を湾曲操作することによって、先端部４４を所望の方向に向けることができる。
【００２１】
図２に示すように、先端部４４の先端面には、観察光学系５２、照明光学系５４、５４、送気・送水ノズル５６、鉗子口５８が設けられる。観察光学系５２の後方にはＣＣＤ（不図示）が配設され、このＣＣＤを支持する基板に信号ケーブル（不図示）が接続される。信号ケーブルは挿入部１２、手元操作部１４、ユニバーサルケーブル１６等に挿通されて電気コネクタ２４まで延設され、プロセッサ２６に接続される。よって、観察光学系５２で取り込まれた観察像がＣＣＤの受光面に結像されて電気信号に変換され、この電気信号が信号ケーブルを介してプロセッサ２６に出力され、映像信号に変換される。これにより、プロセッサ２６に接続されたモニタ５０に観察画像が表示される。
【００２２】
照明光学系５４は、その後方にライトガイド（不図示）の出射端が配設される。ライトガイドは挿入部１２、手元操作部１４、ユニバーサルケーブル１６に挿通されてＬＧコネクタ１８内にその入射端が配設される。したがって、ＬＧコネクタ１８を光源装置２０に連結することによって、光源装置２０から照射された照明光がライトガイドを介して照明光学系５４に伝送され、照明光学系５４から前方に照射される。
【００２３】
先端部４４に設けた送気・送水ノズル５６は、送気・送水ボタン２８によって操作されるバルブ（不図示）に連通され、このバルブがＬＧコネクタ１８に設けた送気・送水コネクタ４８に連通される。送気・送水コネクタ４８には不図示の送気・送水手段が接続され、エア及び水が供給される。したがって、送気・送水ボタン２８を操作することによって、送気・送水ノズル５６からエア又は水が観察光学系に向けて噴射される。
【００２４】
先端部４４に設けた鉗子口５８は、鉗子挿入部４６に連通される。よって、鉗子挿入部４６から鉗子等の処置具を挿入することによって、処置具を鉗子口５８から導出することができる。また、鉗子口５８は、吸引ボタン３０によって操作されるバルブ（不図示）に連通され、このバルブがＬＧコネクタ１８の吸引コネクタ４９に接続される。したがって、吸引コネクタ４９に不図示の吸引手段を接続し、吸引ボタン３０で操作することによって、鉗子口５８から病変部等を吸引することができる。
【００２５】
上記の如く構成された挿入部１２の外周面には、後述のバルーン６０に流体を供給、吸引するための流体口４３が形成されている。流体口４３には、挿入部１２内のチューブ（不図示）が接続され、このチューブを介して手元操作部１４のバルーン送気口３８（図１参照）に連通される。バルーン送気口３８には、チューブ１１０が接続され、このチューブ１１０を介してバルーン制御装置７０が接続される。バルーン制御装置７０は、バルーン６０にエア等の流体を供給・吸引する装置であり、このバルーン制御装置７０から、流体（たとえばエア）を供給、吸引することによって、バルーン６０にエアを供給、吸引することができる。バルーン６０はエアを供給することによって略球状に膨張し、エアを吸引することによって挿入部１２の外表面に張り付くようになっている。なお、バルーン６０については後に詳説する。
【００２６】
バルーン制御装置７０は主として、装置本体７２と、リモートコントロール用のハンドスイッチ７４で構成される。装置本体７２の前面には、電源スイッチＳＷ１、停止スイッチＳＷ２、圧力表示部７６が設けられる。圧力表示部７６はバルーン６０の圧力値を表示するパネルであり、バルーン破れ等の異常発生時にはこの圧力表示部７６にエラーコードが表示される。
【００２７】
装置本体７２の前面には、バルーン６０へのエア供給・吸引を行うチューブ８０が接続される。チューブ８０と装置本体７２との接続部分にはバルーン６０が破れた時の体液の逆流を防止するための逆流防止ユニット８２が設けられる。逆流防止ユニット８２は、装置本体７２に着脱自在に装着された中空円盤状のケース（不図示）の内部に気液分離用のフィルタを組み込むことによって構成されており、装置本体７２内に液体が流入することをフィルタによって防止する。
【００２８】
一方、ハンドスイッチ７４には、各種のスイッチが設けられる。たとえば、装置本体７２側の停止スイッチＳＷ２と同様の停止スイッチや、バルーン６０の加圧／減圧を指示するＯＮ／ＯＦＦスイッチ、バルーン６０の圧力を保持するためのポーズスイッチなどが設けられる。このハンドスイッチ７４はコード８４を介して装置本体７２に電気的に接続されている。なお、図１には示してないが、ハンドスイッチ７４には、バルーン６０の送気状態、或いは排気状態を示す表示部が設けられている。
【００２９】
上記の如く構成されたバルーン制御装置７０は、バルーン６０にエアを供給して膨張させるとともに、そのエア圧を一定値に制御してバルーン６０を膨張した状態に保持する。また、バルーン６０からエアを吸引して収縮させるとともに、そのエア圧を一定値に制御してバルーン６０を収縮した状態に保持する。
【００３０】
バルーン制御装置７０は、バルーン専用モニタ８６に接続されており、バルーン６０を膨張、収縮させる際に、バルーン６０の圧力値や膨張・収縮状態をバルーン専用モニタ８６に表示する。なお、バルーン６０の圧力値や膨張・収縮状態は、内視鏡１０の観察画像にスーパーインポーズしてモニタ５０に表示するようにするようにしてもよい。
【００３１】
上記の如く構成された内視鏡装置の操作方法の一例としては、挿入部１２をプッシュ式で挿入していき、必要に応じてバルーン６０を膨張させて挿入部１２を体内（たとえば大腸）に固定する。そして、挿入部１２を引いて体内（たとえば大腸）の管形状を単純化した後、バルーン６０を収縮させて挿入部１２をさらに腸管の深部に挿入する。たとえば、挿入部１２を被検者の肛門から挿入し、挿入部１２の先端がＳ状結腸を過ぎた際にバルーン６０を膨張させて挿入部１２を腸管に固定し、挿入部１２を引いてＳ状結腸を略直線状にする。そして、バルーン６０を収縮させて、挿入部１２の先端を腸管の深部に挿入していく。これにより、挿入部１２を腸管の深部に挿入することができる。なお、上述した内視鏡１０を、バルーン付きの挿入補助具（不図示）とともに、ダブルバルーン式内視鏡装置として使用してもよい。
【００３２】
次に本発明に係るバルーン６０について説明する。図３は第１の実施形態のバルーン６０を示す斜視図であり、図４はバルーン６０の装着方法を説明する説明図である。
【００３３】
図３に示すように、バルーン６０は、コネクタ部（嵌合口に相当）６２を備えた袋体６４によって構成される。コネクタ部６２は、ゴム等の弾性体から成り、挿入部１２の流体口４３（図２参照）に圧入することによって流体口４３に嵌合されるようになっている。すなわち、コネクタ部６２の先端には、つば６２Ａが形成されており、このつば６２Ａが挿入部１２の流体口４３の内部にひっかかることによって、コネクタ部６２が抜け落ちることが防止される。また、コネクタ部６２には、袋体６４の内部に連通される孔６２Ｂが形成されており、コネクタ部６２を流体口４３に嵌合した際に、この孔６２Ｂを介して袋体６４の内部が流体口４３に連通される。
【００３４】
袋体６４は、コネクタ部６２の孔６２Ｂのみで外部に連通される袋状に形成される。また、袋体６４は、直線状に形成されたストレート部６４Ａと、その端部にリング状に形成されたリング部６４Ｂとで構成されており、リング部６４Ｂと反対側の端部にコネクタ部６２が配設される。リング部６４Ｂの中央の孔６４Ｃは、コネクタ部６２を挿通できる大きさで形成されており、この中央の孔６４Ｃとコネクタ部６２との距離Ｌ１は流体口４３（図２参照）の位置での挿入部１２の外周一周分の長さと同じ長さになっている。したがって、袋体６４を挿入部１２に一周させると、リング部６４Ｂの孔６４Ｃとコネクタ部６２とが重なるようになっている。なお、上述した袋体６４の材質は特に限定するものではないが、ラテックス、シリコンゴム、シリコン樹脂など、柔らかい材質のものを用いることが好ましい。
【００３５】
上記の如く構成されたバルーン６０は、まず、図４（ａ）に示すように、袋体６４のリング部６４Ｂの孔６４Ｃの位置を挿入部１２の流体口４３の位置に合わせる。そして、図４（ｂ）に示すように、リング部６４Ｂの孔６４Ｃを始点として、袋体６４を挿入部１２の外周面に巻き付けていく。袋体６４を巻き付けることによって図４（ｃ）に示すように、コネクタ部６２がリング部６４Ｂの孔６４Ｃに重なるので、コネクタ部６２を挿入部１２の流体口４３に嵌合させる。これにより、袋体６４が挿入部１２に巻きついた状態で固定され、バルーン６０が挿入部１２に装着される。
【００３６】
装着されたバルーン６０の内部は、コネクタ部６２を介して挿入部１２の流体口４３に連通されるので、図１のバルーン制御装置７０によってエアを供給・吸引することによってバルーン６０の内部にエアを供給・吸引することができる。バルーン６０は、エアを供給することによって図２に示す如く略球状に膨張し、エアを吸引することによって挿入部１２の表面に張り付いた状態になる。
【００３７】
上述したように本実施の形態によれば、バルーン６０がコネクタ部６２を有する袋体６４から成り、内視鏡１０の挿入部１２に巻き付けるとともにコネクタ部６２を挿入部１２の流体口４３に嵌合させることによって、バルーン６０を挿入部１２に装着することができる。したがって、従来の筒状バルーンのようにバルーン端部を拡径させる必要がなく、バルーン６０を簡単に装着することができる。
【００３８】
また、本実施の形態のバルーン６０は、袋体６４がリング部６４Ｂを備えており、このリング部６４Ｂの中空の孔６４Ｃにコネクタ部６２を挿通させて挿入部１２の流体口４３に嵌合させるようにしたので、コネクタ部６２と流体口４３とを嵌合させるのと同時に、巻き付けた袋体６４を挿入部１２に固定することができる。したがって、嵌合作業と固定作業とを同時に行う分だけ、バルーン６０の装着作業を簡略化することができる。
【００３９】
さらに本実施の形態のバルーン６０は、袋体６４がコネクタ部６２のみで外部に連通されるので、バルーン６０からの流体の漏れを確実に防止することができる。
【００４０】
次に本発明に係るバルーンの第２の実施形態について説明する。図５は、第２の実施形態のバルーン９０を示す斜視図であり、図６はそのバルーン９０の装着方法を説明する説明図である。
【００４１】
図５に示す第２の実施形態のバルーン９０は、図３に示した第１の実施形態のバルーン６０と比較して、袋体９４がストレート部９４Ａのみで形成されている点と、ストレート部９４Ａの両端部に互いに嵌合される連結部９６、９６が設けられている点で異なっている。すなわち、第２の実施形態のバルーン９０は、挿入部１２の流体口４３に連結されるコネクタ部９２と、このコネクタ部９２のみで外部に連通される直線状の袋体９４とから成り、袋体９４の両端部には、互いに嵌合可能な連結部９６、９６が設けられている。両端の連結部９６、９６同士の距離Ｌ２は、流体口４３の位置における挿入部１２の外周一周分の長さと同じ長さになっている。したがって、袋体９４を挿入部１２の外周面に巻き付けた際に、両方の連結部９６、９６が重なり、嵌合することができる。連結部９６、９６は互いに嵌合可能な構成であれば良く、その構成は特に限定するものではないが、たとえば一方に球状の突起を設け、他方に球状の凹部を設けて嵌合させてもよい。なお、コネクタ部９２は、第１の実施形態のコネクタ部６２と同じ構成であり、その説明を省略する。
【００４２】
上記の如く構成された第２の実施形態のバルーン９０は、まず、図６（ａ）に示すように、バルーン９０のコネクタ部９２を挿入部１２の流体口４３に嵌合させる。これにより、袋体９６の内部が流体口４３に連通される。
【００４３】
次に図６（ｂ）に示すように、コネクタ部９２を始点として、袋体９４を挿入部１２に巻き付けていく。袋体９４を巻き付けることによって、図６（ｃ）に示すように、袋体９４の両端の連結部９６、９６同士が重なるので、連結部９６、９６同士を嵌合させる。これにより、袋体９４が挿入部１２に巻きついた状態で固定され、バルーン９０が挿入部１２に装着される。
【００４４】
上記の如く構成されたバルーン９０の場合にも、袋体９４を挿入部１２に巻き付けて装着することができるので、従来の筒状バルーンのようにバルーン端部を拡径する必要がなく、バルーン９０の装着作業を容易に行うことができる。
【００４５】
次に本発明に係るバルーンの第３の実施形態について説明する。図７は、第３の実施形態のバルーン１００を示す斜視図であり、図８はそのバルーン１００の装着方法を説明する説明図である。
【００４６】
図７に示す第３の実施形態のバルーン１００は、図５に示した第２の実施形態のバルーン９０と比較して、第２の実施形態の連結部９６、９６に代わりに、固定具１０６が設けられている点で異なっている。すなわち、第３の実施形態のバルーン１００は、挿入部１２の流体口４３に連結されるコネクタ部１０２と、このコネクタ部１０２のみで外部に連通される直線状の袋体１０４とから成り、袋体１０４にはコネクタ部１０２と反対側の端部に固定具１０６が設けられている。固定具１０６は、内視鏡１０の挿入部１２の外周面に形成される凹部１０８（図８参照）に嵌合される。凹部１０８は、流体口４３に対して、挿入部１２の軸方向にずれた位置に配置される。凹部１０８と固定具１０６は、互いに嵌合可能な構成であれば良く、その構成は特に限定するものではない。また、図７に示す固定具１０６とコネクタ部１０２との距離Ｌ３は、挿入部１２の流体口４３から螺旋状に外周面を一周まわって凹部１０８に到達するまでの距離に等しくなっている。したがって、流体口４３とコネクタ部１０２との位置を合わせて袋体１０４を挿入部１２に螺旋状に巻き付けた際に、凹部１０８と固定具１０６とが重なるようになっている。なお、コネクタ部１０２は、第１の実施形態のコネクタ部６２と同じ構成であり、その説明を省略する。
【００４７】
上記の如く構成された第３の実施形態のバルーン１００は、まず、図８（ａ）に示すように、バルーン１００のコネクタ部１０２を挿入部１２の流体口４３に嵌合させる。これにより、袋体１０４の内部が流体口４３に連通される。
【００４８】
次に図８（ｂ）に示すように、コネクタ部１０２を始点として、袋体１０４を挿入部１２に螺旋状に巻き付けていく。袋体１０４を螺旋状に巻き付けることによって、図８（ｃ）に示すように、固定具１０６が凹部１０８に重なるので、両者を嵌合させる。これにより、袋体１０４が挿入部１２に巻きついた状態で固定され、バルーン１００が挿入部１２に装着される。
【００４９】
上記の如く構成されたバルーン１００の場合にも、袋体１０４を挿入部１２に巻き付けて装着することができるので、従来の筒状バルーンのようにバルーン端部を拡径する必要がなく、バルーン１００の装着作業を容易に行うことができる。
【００５０】
なお、上述した第３の実施形態は、袋体１０４を螺旋状に略一周巻き付けるようにしたが、これに限定するものではなく、螺旋状に複数周、巻き付けるようにしてもよい。
【００５１】
また、上述した第１〜第３の実施形態のバルーン６０、９０、１００は、挿入部１２を腸管等に固定する用途で用いたが、他の用途のバルーンとして使用してもよい。たとえば、超音波内視鏡に用いるバルーンとして本発明を用いてもよい。
【００５２】
また、上述した実施形態は、バルーン６０、９０、１００を内視鏡１０の挿入部１２に装着する例で説明したが、装着する医療器具の種類はこれに限定するものではなく、たとえば、内視鏡１０の挿入部１２に被せて体内への挿入をガイドするオーバーチューブやスライディングチューブなどの挿入補助具に本発明のバルーン６０、９０、１００を装着するようにしてもよい。さらに、内視鏡１０の鉗子チャンネルに挿通される挿入案内具や、腸管の拡張用のカテーテルなどに、本発明のバルーン６０、９０、１００を装着するようにしてもよい。
【図面の簡単な説明】
【００５３】
【図１】本発明に係るバルーンを使用する内視鏡装置のシステム構成図
【図２】内視鏡の挿入部の先端部を示す斜視図
【図３】第１の実施形態のバルーンを示す斜視図
【図４】第１の実施形態のバルーンの装着方法を説明する説明図
【図５】第２の実施形態のバルーンを示す斜視図
【図６】第２の実施形態のバルーンの装着方法を説明する説明図
【図７】第３の実施形態のバルーンを示す斜視図
【図８】第３の実施形態のバルーンの装着方法を説明する説明図
【符号の説明】
【００５４】
１０…内視鏡、１２…挿入部、６０…バルーン、６２…コネクタ部、６４…袋体、７０…バルーン制御装置、９０…バルーン、９２…コネクタ部、９４…袋体、９６…連結部、１００…バルーン、１０２…コネクタ部、１０４…袋体、１０６…固定具、１０８…凹部
【図１】
2009160219.tif 000003
【図２】
2009160219.tif 000004
【図３】
2009160219.tif 000005
【図４】
2009160219.tif 000006
【図５】
2009160219.tif 000007
【図６】
2009160219.tif 000008
【図７】
2009160219.tif 000009
【図８】
2009160219.tif 000010